(57)【要約】【課題】頭頂部と後頭部を映して頭髪の調整や治療、或いは口腔内病の予防や治療を容易に行うことができることを目的とする。【解決手段】正面主鏡２を壁８、家具又は机上に設置して、副鏡３を前記正面主鏡２の上方に傾斜状に取付け、前記正面主鏡２の左右化粧竪枠５に副鏡４を位置及び角度を任意に、かつ取り外し自由に取付けた。【選択図】図１
2019037745.tif 000002
【特許請求の範囲】
【請求項１】
水平面と直角をなすよう設置した正面主鏡と、
当該正面主鏡の上部に、当該主鏡との内角を１００°以上、１３０°以下にして傾斜状に設置した上方副鏡と、
前記上方副鏡の下方に、前記正面主鏡に対する取り付け高さ位置を任意に調整可能に設けた下方副鏡とからなる、縦型無蝶番三面鏡。
【請求項２】
前記下方副鏡は、頭頂部を映して見る場合は正面主鏡との内角を１００°以上、１３０°以下にして傾斜状に設置し、又は口腔内を映して見る場合は正面主鏡との内角を６０°以上、９０°以下にして傾斜状に設置する、請求項１に記載の縦型無蝶番三面鏡。
【請求項３】
前記下方副鏡は、前記正面主鏡に対して着脱自在であり、正面主鏡と合わせ鏡を容易にするため、下方副鏡の鏡面の鉛直保持機能をもつ把持部を備える、請求項１又は２に記載の縦型無蝶番三面鏡。
【発明の詳細な説明】
【技術分野】
【０００１】本発明は主鏡の上方と下方に副鏡を取付けた縦型無蝶番三面鏡装置に関する。
【背景技術】
【０００２】我が国では６５才以上の高齢者が２７％を上回り、３人に１人が高齢者となる時代も近いとされる。誰しも高齢となるにつれ、毛髪や肌が荒れるが、頭頂部を整え、白髪を塗隠し、ヘアーウイッグを装着して元気に働かれている。しかし、従来からある壁掛け鏡や三面鏡は老眼が進み、指先の動きも衰えて使いづらい。これからは、顔も頭も襟足も大きく見え、両手を使って整髪し化粧できる鏡が必要である。【０００３】  毎日歯を磨いていても、歯ブラシの届かぬ隙間に食べかすが残っている。虫歯は万病のもと、歯周病は心筋梗塞や脳梗塞の原因と言われる。しかし歯と歯の間や歯茎、特に口腔の上奥の歯列と歯茎は見えにくい。歯磨きして口中を清潔に保つには、歯間と歯茎の状態をよく見て、歯ブラシを当てることが出来る三面鏡が求められる。【０００４】従来の三面鏡の多くは、正面又は横から顔や頭や姿を映して見ることを目的として、正面主鏡の左右に副鏡を開閉角度自由に取付けた横型三面鏡である。また正面と上下の姿を映すためにこの主鏡を９０度回転する縦型三面鏡を兼ねるもの、或いは角度を変えるのに電動回転する装置の三面鏡もある。横型三面鏡の前に縦型三面鏡併置したものもある。しかし何れも、像が小さくて高齢者には細部がはっきりしないという難点があった。【０００５】  既存の三面鏡は、蝶番を用いて主鏡の両脇に副鏡を接合した合わせ鏡であり、用途に応じてこれを縦横或いは斜めに設置してきた。このため、主鏡と副鏡が接合されて向かい合う狭い空間に、入射し反射する三つの鏡の映像が交叉して、この通り道に顔や手腕が入れば、合わせ鏡の映像が途切れる。それゆえ従前の三面鏡は、離れた位置から映すにとどめざるを得ず、近くから大きく顔や頭を映せなかったのである。蝶番によって接合した鏡と鏡は、回転は自由であるが、上下・左右には動かないことが蝶番を使用する三面鏡の大きい欠点であり、性能の限界であろう。【０００６】  蝶番を使用した縦型の三面鏡については多数の先行文献があり、下方副鏡の角度を調整可能とする先行文献も多い。しかし蝶番を使用しない三面鏡については先行文献はない。【０００７】また下方副鏡を取り外して手鏡にできることは、先行文献は存在しないが、これによって得られる効果は予想の範囲内であるとされてきた。【０００８】前記の如く、頭頂部の毛髪対策を求める人は多いが、従前からある三面鏡には未だその対策はない。【０００９】また口腔内を見ながら歯を磨き、虫歯治療をする対策について、先行文献はない。【００１０】従前より、軽量小型の手鏡を片手で持って顔や頭の小部分を映して見ること、或いは大型の鏡を両手で持って主鏡と合わせ鏡にすることもあった。しかし後頭部の像は隠れたり揺れ動いたりして見づらく、手に鏡を持ったままでは化粧や治療はしにくかった。この対策が必要である。
【先行技術文献】
【００１１】
【特許文献】
【特許文献】特開２００８−１３１９８７号  公報
【発明の概要】
【００１２】壁、家具又は固定台に主鏡を設置し、副鏡を前記主鏡の上方に傾斜状に取付け、前記主鏡の左右化粧竪枠に下方副鏡を位置及び角度を任意にかつ取り外し自在に取付けた縦型無蝶番三面鏡によって、髪型や口腔内を見ながら、両手を使って整髪し治療施薬する。
【発明が解決しようとする課題】
【００１３】高齢化に伴い毛髪や顔の荒れに悩む人が増えてきた。片手に手鏡を持って白毛や薄毛の地肌の状態を主鏡に映して見るのは、映像が動いて見づらく、しかも残る片手でそれを治療処置をすること等は出来にくかった。この改善を図り、上方より頭頂部の状態をよく見て、両手を使って整髪や治療すること、これが第一の課題である。【００１４】  口腔内の歯と歯茎の状態を見乍ら歯を磨くこと、特に上側の奥歯と歯茎に付着した歯垢を見て除くことは出来にくかった。この改善を図ること、これが第二の課題である。【００１５】  襟足とか横顔を主鏡に映し見乍ら、両手を使って整髪し化粧することは出来なかった。この改善を図ること、これが第三の課題である【００１６】  鏡と鏡を蝶番によって接合する従前の三面鏡は、機械的に高機能を求めるは限界に近く、課題を解決するには、光の性質に関する考究をして対策を講じるがよいと思われる。本発明になる縦型無蝶番三面鏡は、蝶番を使用せず、光学理論にのっとり下記（イ）（ロ）（ハ）を実用化することにより、問題解決を図るものである。
（イ）入射・反射法則を検討実施する。（ロ）光の通路確保。（ハ）合わせ鏡容易とするため把持部に鏡面鉛直保持機能を取り入れる。
【課題を解決するための手段】
【００１７】  本発明に係る縦型無蝶番三面鏡は、機能は同じであるが、壁に取付ける、家具内に固定する又は机上に据えるなど、設置場所により取付ける手法が異なる。使用者はカタログを見て設置場所を示して適した品を注文する。【００１８】  本発明に係る縦型無蝶番三面鏡を、主鏡を壁に取付けて使用する場合について説明する。
縦型無蝶番三面鏡は、主鏡を壁に床と鉛直面に取付け、その上部に上方副鏡を主鏡との内角α１を１００°以上、１３０°以下にして傾斜状に設置してある。ここに映る頭頂部の像は反射して下方に向かい、下方副鏡に映る。下方副鏡は主鏡との内角α２を１００°以上、１３０°以下にして傾斜状に設置可能であり、これを使用者が見易い高さに取付ける。
使用者が正面主鏡の前に立つとき、頭頂部は約２０ｃｍ上の上方副鏡に大きく映り、この像は合わせ鏡である下方副鏡に映っており、下方副鏡の自分の頭頂部を見乍ら両手を使って頭髪の手入れや調髪が可能である。使用者には身長差があるため、この下方副鏡は、特殊取付け金物によって着脱自在、任意高さに設置が可能としたのである。【００１９】  正面主鏡の両脇に、鏡面に平行して等間隔に断面が等しい化粧竪枠が付してあり、この左右の化粧竪枠には、前記した下方副鏡を取付けるために、下方副鏡取付け金具が取付いている。【００２０】  本発明に係る縦型無蝶番三面鏡は、頭顔部が映るに適した前記傾斜・角度に上方副鏡が設けてあり、上方副鏡に入射した像の反射光は、主鏡と使用者の中間を遮られることなく通って下方副鏡に送られる。合わせ鏡である下方副鏡は、特製の下方副鏡取付け金具によって、取り外し自在であり、使用者は見易い任意の高さ、角度に設置可能である。【００２１】即ち使用者が正面主鏡の前に立つとき、正面主鏡に顔の前面が映り、同時に約２０ｃｍ上の上方副鏡に大きく映る頭部の像は下方副鏡に映っており、使用者は目を移して下方副鏡の像をも見ながら両手を使って顔も頭髪も手入れすることが可能である。【００２２】  口腔内を見るときは、正面主鏡と下方副鏡とを合わせ鏡にする。正面主鏡前に使用者が立ち、口を大きく開いたとき、上歯茎は水平面よりやや下向きで、およそ７５°の角度になる。下方副鏡を正面主鏡との内角α３を６０°以上９０°以下にセットしておけば、上歯茎の映像は下方副鏡を経て主鏡に大きく映っている。
下方副鏡に向けて大きく口を開いて上歯と上歯茎を映す。同時に使用者の下歯茎の状態は、正面主鏡に向って映っている。使用者は、この上下の歯列を見て歯間ブラシも使って順番に磨くことが出来る。【００２３】  後頭部や横顔を映して見る手法を述べる。下方副鏡は図４に示す如く、把持部の中央下部に鏡が垂れ下がる形状をしている。把持部を持ち上げるとき、鏡面がおのずと水平面と鉛直となり、鏡面が鉛直面を保持する機能を備えているのである。下方副鏡は、着脱自在であり、正面主鏡とは合わせ鏡の関係にある。正面主鏡の鏡面は鉛直であり、この下方副鏡面も鉛直であるため、二つの方位が合うとき、自ずと合わせ鏡となる。その手段を次に説明する。【００２４】  下方副鏡吊枠１２は化粧竪枠５の上方にボルトとナットにて回転自在に取付けてあり、折曲がり部にてピン止めされている。通常は上方副鏡３と同じく斜め状態（主鏡との内角９５°以上１２５°以下）であるが、ピンを外して水平にすることが出来る。下方副鏡吊枠１３を水平にした後、ここに下方副鏡を吊り下げる。吊る箇所は六ケ所あり、例えば後頭部と指定する位置に下方副鏡把持部吊突起金具６を掛け止めると、自ずと方位が合い、下方副鏡に映った後頭部の像は正面主鏡に映っている。
【発明の効果】
【００２５】縦型無蝶番三面鏡により、上方副鏡に映る頭頂部の像は下方副鏡に映り、これを見ながら両手を使って頭髪の手入れが出来た。【００２６】また口腔内を下方副鏡に映し、これを正面主鏡に映して見乍ら、歯を磨いて歯垢を除くは容易であった。【００２７】また下方副鏡に映る顎の髭を見乍ら手入れすることも可能であった。【００２８】  下方副鏡吊枠に下方副鏡を取付けて、横顔や襟足の様子を正面主鏡に映して見乍ら、調髪し化粧することも容易であった。【００２９】  縦型無蝶番三面鏡は、設置するための広い場所は必要でなく、既存の壁掛け鏡等と取り換えて設置することが可能である。また化粧キャビネットや洗面化粧台など既存の台の上に据えることも可能である。
【図面の簡単な説明】
【００３０】
【図１】縦型無蝶番三面鏡を壁面に設置した状態を示す斜視図
【図２】縦型無蝶番三面鏡を壁面に設置した状態を示す姿図
【図３】縦型無蝶番三面鏡を壁面に設置した状態を示す断面図
【図４】縦型無蝶番三面鏡の下方副鏡取付け装置を示す斜視図．
【図５】縦型無蝶番三面鏡により頭頂部を映す状態示す断面図（説明図）
【図６】縦型無蝶番三面鏡により口腔内の上下の歯を並べて映す状態を示す断面図
【図７】縦型無蝶番三面鏡により後頭部を映す状態を示す断面図（説明図）
【図８】縦型無蝶番三面鏡断面図（鏡面角度の説明図）
【発明を実施するための形態】
【００３１】  以下、本発明の実施の形態を図２に基づいて説明する。
正面主鏡２の大きさはＨ＝４５ｃｍ、Ｗ＝３６ｃｍ、上方副鏡３はＨ＝３６ｃｍ、Ｗ＝２２．５ｃｍ、下方副鏡４はＨ＝２２．５ｃｍ、Ｗ＝１８ｃｍである。（鏡面の大きさは下方副鏡：上方副鏡：正面主鏡＝１：２：４とした）。なお上記は市販品の寸法であり大きさを指定するものではない。鏡の材質はガラス板も金属板も可である。
【００３２】  図２に示す如く、正面主鏡２は鏡面を水平面と直角に取付け、その鏡取付け用金属板１の前面中央に正面主鏡２を、その両脇に化粧竪枠５を取付ける。金属板製鏡を用いるときには鏡取付け用金属板１は用いなくてもよい。
【００３３】  縦型無蝶番三面鏡の化粧建枠５は、主鏡ヲ水平面と垂直に保ち、主鏡及び副鏡の機能を支える骨組みである。主鏡を壁に取付ける、家具内に固定する又は机上に据えるに必要な部分品のためのビス穴、ボルト穴又はほぞ穴を備える。
【００３４】  図２〜図４に示す如く、正面主鏡２両脇の化粧建枠５の各々内側の縦方向に、下半分には下方副鏡取付け金具６が取付き、上半分には下方副鏡吊枠１２が回転自在に取付いている。
【００３５】  前記の下方副鏡取付け金具６には、正面主鏡２と内角７５°±１５°と１１５°±１５°に傾斜し、先端が鉤状をなす切込みが１．５ｃｍ間隔で交互に付してありここに下方副鏡４の下方副鏡把持部吊突起金具１１を挿入する。下方副鏡４はこの切込みに下方副鏡把持部吊突起金具１１を左右同じ間隔で嵌め込むことにより、求める傾斜角度にて任意の高さに保持できる。下方副鏡４は軽量小型ゆえ、前記の仕組みにより保持することは容易である。これは、下方副鏡取付け金具６の一例であり既存の建物金具を利用してもよい。
【００３６】  図１及び図５に示す如く、女性が正面主鏡２の前に立つと頭頂部は上方副鏡３に大きく映り、ヘアピースやヘアネットを施す等のときは、この像は反射して下方副鏡４に映っており、これを見ながら女性は両手１０を使ってヘアメイクが可能である。白髪を塗り隠すもヘアーウイッグ装着も目で見て処理結果を確認することができる。実施例は、図８に示すとおり正面主鏡２と上方副鏡３との内角α１は１１０°を適当とするが、使用する状況により差がある故、α１＝９５°〜１２５°とし、正面主鏡２と下方副鏡４との内角α２は１１５°を適当とするが、α２＝１００°〜１３０°としたものである。
【００３８】図６に基づいて口腔内を目視する仕組みについて説明する。縦型無蝶番三面鏡の正面主鏡２の前で、使用者が口を大きく開けると、正面主鏡２には下歯茎の像が映る。また下方副鏡４に映る上歯茎部の鏡像も正面主鏡２に映っている。下歯茎部と上歯茎部の像が正面主鏡２鏡面に、並んで映っており、これを見乍ら、両手指を使って上下の歯と歯茎の治療施薬が出来る。なお、上歯茎部→下方副鏡４→正面主鏡２→使用者の目  という映像の流れは表現しにくいため、説明は虚像入りの図にて表示する。図８に示すとおり正面主鏡２と下方副鏡４との内角は７５°を適当としたが、使用する状況により差がある故、α３＝６０°〜９０°とした。
【００３９】  図７により、後頭部を見乍ら化粧する仕組みについて説明する。下方副鏡吊枠１２は通常は下方副鏡吊枠取付けボルト１４により、上方副鏡３と同じく斜上方に向け同角度で取付いているが、使用時には、化粧建枠６上部のピン１５を抜き外すと、点線で示した如く水平の位置１３になる。次に下方副鏡４を取り外してここに吊り下げる。
この下方副鏡吊枠１３には下方副鏡取付け金具６が左右３つ、計６箇所設けてあり、例えば右後頭部を映すときは、右後頭部と記す矩形の穴に、下方副鏡把持部１０中央部の下方副鏡把持部吊突起金具１１を嵌込むと、点線にて示す如く下方副鏡４は鉛直に吊り下がって、鏡面に右後頭部の像が映る。この反射光は頭の右外側を通って合わせ鏡である正面主鏡２に映り、この正面主鏡２の映像を見乍ら両手を使って調髪し化粧することが出来る。下方副鏡４は使用後には外して元の位置へ戻し、下方副鏡吊枠１３は持ち上げて斜め上方下方副鏡吊枠１２の位置に元どおり収納する。横顔、斜後方を見る場合も手順はこれと同様である。
【００４０】  同じく図７により入射・反射光の流れを詳しく説明する。二点線の如く、後頭部の像は入射して下方副鏡４に映り、その反射光は頭の右側を通って正面主鏡２へ向かう。鏡面の鉛直面保持機能によって、使用者の目線と同じ高さに静止映像として映り、正面主鏡２には顔の正面が左に、後頭部が右に同じ高さに横に並んで映っているのである。
【００４１】縦型無蝶番三面鏡を壁面に設置する場合は、添付の説明図を壁に貼って、ねじマーク二箇所以上にねじ釘をしっかり打って、ここに壁掛け用ビス穴７を嵌める。木造建築は必ず柱又は間柱に固定して設置し、地震時にも外れて落下しないようにする。
【００４２】上方副鏡３の両外脇にＬＥＤ管照明具を取付け可能とする。
【符号の説明】
【００４３】１．鏡取付け用金属板
２．正面主鏡
３．上方副鏡
４．下方副鏡
５．化粧竪枠
６．下方副鏡取付け金具
７．壁掛け用ビス穴
８．壁
９．両手
１０．下方副鏡把持部．
１１  下方副鏡把持部吊突起金具
１２．下方副鏡吊枠
１３  下方副鏡吊枠（使用時）
１４  下方副鏡吊枠取付けボルト
１５  下方副鏡吊枠斜め取付けピン
【図１】
2019037745.tif 000003
【図２】
2019037745.tif 000004
【図３】
2019037745.tif 000005
【図４】
2019037745.tif 000006
【図５】
2019037745.tif 000007
【図６】
2019037745.tif 000008
【図７】
2019037745.tif 000009
【図８】
2019037745.tif 000010